(57)【要約】【課題】コンクリート型枠あるいは建物の断熱壁として使用可能な型枠兼断熱建材であって、型枠を組み付けるに当り、金属製の連結金具を切断する必要がなく、型枠の組立作業能率が大幅に向上し、また、建材を構成する断熱パネルの外面は平坦であって、その外面の仕上げなどの後処理が容易である。【解決手段】型枠兼断熱建材は、発泡合成樹脂製の板状の断熱パネル１と、その断熱パネル１の端面に形成したスリット２Ｕに差込固定される複数の金属製連結金具３よりなり、その連結金具は３は、断熱パネル１の端面の長手方向の任意の個所に固定可能であり、また、その連結金具３は、断熱パネル１の外面から突出することがない。【選択図】    図１
2004324369.tif 000002
【特許請求の範囲】
【請求項１】
コンクリート型枠あるいは建物の断熱壁として使用可能な型枠兼断熱建材であって、
硬質の発泡合成樹脂材により、四角な板状に形成される断熱パネル（１）と、該断熱パネル（１）の上端面（１Ｕ）に、その長手方向の任意の個所に間隔をあけて固定される複数の金属板よりなる連結金具（３）とよりなり、
前記断熱パネル（１）は、その上、下端面（１Ｕ，１Ｌ）の幅方向中間部に、それらの面に開口して鉛直方向に延びる上、下スリット（２Ｕ，２Ｌ）がそれらの全長にわたって形成され、また、連結金具（３）は、前記上、下スリット（２Ｕ，２Ｌ）にそれぞれ差し込み係合可能な上、下鉛直部（３Ｖｕ，３Ｖｌ）と、断熱パネル（１）の上端面（１Ｕ）に着座されて、アッセンブリタイ（９）の差し込まれる取付孔（７）が開口されている水平部（３Ｈ）とを有していることを特徴とする、型枠兼断熱建材。
【請求項２】
前記断熱パネル（１）の外面（１Ｏ）は、平坦に形成されて、外板（１１）が接合されることを特徴とする、前記請求項１記載の型枠兼断熱建材。
【請求項３】
前記請求項１または２記載の型枠兼断熱建材に使用される連結金具であって、
前記断熱パネル（１）の前記上スリット（２Ｕ）の任意の位置に差込係合可能な上鉛直部（３Ｖｕ）と、前記断熱パネル（１）の前記下スリット（２Ｌ）の任意の位置に差込係合可能な下鉛直部（３Ｖｌ）と、前記断熱パネル（１）の上端面（１Ｕ）に着座される水平部（２Ｈ）とより、横Ｔ字状に形成され、前記上、下鉛直部（３Ｖｕ，３Ｖｌ）には、下、上スリット（２Ｕ，２Ｌ）にそれぞれ食い込む傾斜抜止片（４  ，５）が形成され、また、前記水平部（２Ｈ）には、アッセンブリタイ（９）の差込係合される取付孔（７）が開口されていることを特徴とする、型枠兼断熱建材の連結金具。
【発明の詳細な説明】
【０００１】
【発明の属する技術分野】
本発明は、コンクリート躯体を有する建築物の、型枠兼断熱建材およびその建材に使用される連結金具に関するものである。
【０００２】
【従来の技術】
従来、コンクリート躯体を有する建築物において、その躯体を成形する型枠の構築用型枠板（コンクリートパネル）として使用できる外、建築物の構築後は、解体せずにそのままコンクリート壁の補強用建材として使用できるようにした、型枠兼用建材が知られている（たとえば、特許文献１参照）。
【０００３】
【特許文献１】
特公昭５２−９７２１９号公報
【０００４】
【発明が解決しようとする課題】
ところで、かかる従来の型枠兼用建材は、型枠板を解体する手間が省け、また型枠板を断熱壁などの建材としてそのまま利用できるという利点があるが、その型枠兼用建材が型枠として利用される場合には、これが打設コンクリートの打設圧力に耐えて変形、損傷することがないように補強する必要があり、その結果その重量増を招き、その作業性が悪くなり、また、型枠板として使用する際に、縦端太、横端太などよりなる支保工を必要として型枠の組立作業性が悪くなるという問題があった。
【０００５】
そこで、本出願人は、強度が高く、軽量であり、高断熱性を有し、型枠板として使用したとき、取り扱いが容易であり、しかも打設コンクリートの圧力により変形することがなく、また、建物の高断熱性を有する断熱壁としてそのまま使用することができるようにした、新規な建築用型枠を既に提案している（特願２００２−２３８２４０）。
【０００６】
ところで、前記提案のものでは、合成樹脂製の断熱パネルの一端面の全長に亘り、金属性のバー部材が接合されているので、たとえば、現場にて型枠を組み立てる際に、開口部などの建物の端部に該当する部分において、前記断熱パネルを切断するとき、前記金属製のバー部材も切断する必要があり、また、前記バー部材が断熱パネルの外面に段差を形成して、フラットな後仕上げがしにくいなどの問題がある。
【０００７】
そこで本発明は、バー部材に相当する連結金具を断熱パネルの任意の位置に固定できる共に該連結金具が、断熱パネルの外面から出張ることがないようにして、前記問題を解決できるようにした、新規な型枠兼断熱建材およびその建材の連結金具を提供することを目的とするものである。
【０００８】
【課題を解決するための手段】
上記目的を達成するために、請求項１記載の発明は、コンクリート型枠あるいは建物の断熱壁として使用可能な型枠兼断熱建材であって、パネルと、該断熱パネルの上端面に、その長手方向の任意の個所に間隔をあけて固定される複数の金属板よりなる連結金具とよりなり、前記断熱パネルは、その上、下端面の幅方向中間部に、それらの面に開口して鉛直方向に延びる上、下スリットがそれらの全長にわたって形成され、また、連結金具は、前記上、下スリットにそれぞれ差し込み係合可能な上、下鉛直部と、断熱パネルの上端面に着座されて、アッセンブリタイの差し込まれる取付孔が開口されている水平部とを有していることを特徴としており、かかる特徴によれば、複数の連結金具を、断熱パネルの上端面の任意の位置に固定することができるので、型枠を組み付けるに当たって金属製の連結金具を切断する必要がなくなり、型枠の組立作業能率を大幅に向上して、型枠の構築コストの低減に寄与することができ、また、断熱パネルの外面は、その全面が平坦であって、該外面の仕上げなどの後処理が容易である。
【０００９】
また、上記目的を達成するために、請求項２記載の発明は、前記請求項１記載のものにおいて、前記断熱パネルの外面は、平坦に形成されて、外板が接合されることを特徴としており、かかる特徴によれば、断熱パネルの外面への外板の接合作業が容易であり、断熱パネルの強度が高められる。
【００１０】
さらに、前記目的達成のため、請求項３記載の発明は、前記請求項１または２記載の型枠兼断熱建材に使用される連結金具であって、前記断熱パネルの前記上スリットの任意の位置に差込係合可能な上鉛直部と、前記断熱パネルの前記下スリットの任意の位置に差込係合可能な下鉛直部と、前記断熱パネルの上端面に着座される水平部とより、横Ｔ字状に形成され、前記上、下鉛直部には、下、上スリットにそれぞれ食い込む傾斜抜止片が形成され、また、前記水平部には、アッセンブリタイの差込係合される取付孔が開口されていることを特徴としており、かかる特徴によれば、連結金具は、断熱パネルの任意の位置に固定可能であることから、型枠の組付に当たって、この連結金具を切断しないで済み、型枠の組付作業能率を大幅に向上させるこができ、また、連結金具は、断熱パネルへの固定位置の如何にかかわらず、その傾斜抜止片が断熱パネルに食い込み係合して、その断熱パネルにしっかりと固定することができる。
【００１１】
【発明の実施の形態】
以下、本発明の実施の形態を、添付図面に示した本発明の実施例に基づいて説明する。
【００１２】
まず、図１〜６を参照して、本発明の第１実施例について説明する。
【００１３】
図１は、本発明型枠兼断熱建材の一部破断斜視図、図２は、図１の２矢視の型枠兼断熱建材の平面図、図３は、図２の３−３線に沿う拡大断面図、図４は、型枠兼断熱建材および連結金具の斜視図、図５は、型枠兼断熱建材により組み立てられたコンクリート型枠の断面図、図６は、図５の６矢視の仮想円囲い部分の拡大図である。
【００１４】
まず、図１〜３を参照して、本発明にかかる型枠兼断熱建材の構成について説明すると、この型枠兼断熱建材は、その主体部が硬質の断熱合成樹脂材の単体により、全体が横長の長方形の板状に形成された断熱パネル１よりなり、その断熱パネル１の一端面には、その長手方向に間隔をあけて亜鉛鋼板などの金属板よりなる、本発明にかかる連結金具３…が固定される。
【００１５】
前記断熱パネル１は、高断熱性があり、しかも軽量であるポリスチレン、ポリウレタンなどの硬質の発泡合成樹脂材により構成され、たとえば、その密度が２０〜４０ｋｇ／ｍ３であり、その厚さが約５０ｍｍである。
【００１６】
前記断熱パネル１の外面１Ｏおよび内面１Ｉは、いずれも平坦面であり、また、断熱パネル１の上端面１Ｕは、断面段状に形成されて、水平な低い面ａと、その一側から略直角に起立する鉛直な面ｂと、その鉛直な面ｂの上縁から水平に延びる高い面ｃとを有しており、前記低い面ａの幅は、前記高い面ｃの幅よりも幅広に形成されていて、そこに後述する連結金具３の水平部３Ｈが着座される。
【００１７】
一方、図３に示すように、断熱パネル１の下端面１Ｌは、前記上端面１Ｕとは位置を逆にして断面段状に形成されており、水平な低い面ａ′（前記高い面ｃと対向）と、その一側から略直角に起立する鉛直な面ｂ′と、その鉛直な面ｂ′の上縁から水平に延びる高い面ｃ′（前記低い面ａと対向）とを有しており、前記高い面ｃ′の幅は、前記低い面ａ′の幅よりも幅広に形成されていて、そこに後述する連結金具３の水平部３Ｈが着座されるようになっており、また前記鉛直な面ｂ′は、前記上端面１Ｕの鉛直な面ｂよりも高さが低い。
【００１８】
また、図３，４に明瞭に示すように、断熱パネル１の上端面１Ｕおよび下端面１Ｌの幅方向の中間部には、その長手方向の全長にわたり、前記鉛直な面ｂ，ｂ′に沿って所定深さの上、下スリット２Ｕ，２Ｌがそれぞれ形成されており、これらの上、下スリット２Ｕ，２Ｌに、後に述べるように、連結金具３…が差込係合される。
【００１９】
図４に最も明瞭に示すように、複数の連結金具３…は、亜鉛鋼板などの金属板により、横断面横Ｔ字状に形成され、上、下鉛直部３Ｖｕ，３Ｖｌと、その中間部の一側より水平に張出す水平部３Ｈとを有し、その水平部３Ｈの、上、下鉛直部３Ｖｕ，３Ｖｌからの長さは、前記断熱パネル１の水平な低い面ａおよび高い面ｃ′の幅と略同じである。上、下鉛直部３Ｖｕ，３Ｖｌには、それぞれＵ字状および逆Ｕ字状の切込みを互いに逆方向に切り起こすことで、互いに並列する逆向きの２つの傾斜抜止片４，５がそれぞれ一体に形成されている。さらに、各連結金具３の水平部２Ｈの中央部には、それぞれ取付孔７が穿設されている。
【００２０】
図１に示すように、前記複数の連結金具３…は、互いに上下方向に直列される上、下の断熱パネル１，１を一体に結合する結合部材として、また、図５に示すように、複数枚の断熱パネル１…によりコンクリート型枠Ｍを組み付ける際に、コンクリートの打設空間Ｓを存して互いに対峙される断熱パネル１，１同志を結合するアッセンブリタイ９の差込係合金具として利用できるものであって、複数の連結金具３…は、断熱パネル１の上端面１Ｕに形成した上スリット２Ｕに、その長手方向に間隔をあけて任意位置に固定することが可能である。すなわち、図３，４に示すように、断熱パネル１の上端面１Ｕに形成した上スリット２Ｕ内には、その上方より連結金具３の下鉛直部３Ｖｌが該断熱パネル１の鉛直な面ｂに沿って差し込まれ、その水平部３Ｈは断熱パネル１の低い面ａ上に着座される。そして連結金具３の下鉛直部３Ｖｌの一対の傾斜抜止片４，５は、断熱パネル１の上スリット２Ｕの側方に食い込んで係合され、これにより連結金具３は断熱パネルの上端面１Ｕに固定されてそこから抜け出ることがない。以上により、図１に示すように、断熱パネル１の上端面１Ｕには、その長手方向に間隔をあけて任意の位置に複数の連結金具３が固定される。複数の連結金具３…の、断熱パネル１の上端部１Ｕから上方に突出する上鉛直部３Ｖｕに、他の断熱パネル１の下端面１Ｌの下スリット２Ｌを差し込むことにより、断熱パネル１上に他の断熱パネル１が結合され、連結金具３…の上鉛直部３Ｖｕの２つの傾斜抜止片４，５は、他の断熱パネル１の下スリット２Ｌの側方に食い込み係合されて、一方の断熱パネル１から他方の断熱パネル１が抜けることがない。
【００２１】
つぎに、図５，６を参照して、断熱パネル１よりなる型枠兼断熱建材を用いて、建築用コンクリート型枠Ｍを組み付ける場合について説明する。
【００２２】
コンクリート型枠Ｍは、コンクリート打設空間Ｓを存して互いに平行に設置される内、外側型枠Ｍｉ，Ｍｏより構成されており、これら内、外側の型枠Ｍｉ，Ｍｏは、何れも複数の断熱パネル１を、前述したように複数の連結金具３…を用いて鉛直方向に接続して構成される。この接続状態では、図６に示すように、下側の断熱パネル１の上端面１Ｕの低い面ａ、鉛直な面ｂおよび高い面ｃが、下側の断熱パネル１の下端面１Ｌの高い面ｃ′、鉛直な面ｂ′および低い面ａ′にそれぞれ対応し、前記高い面ｃと低い面ａ′とは相互に衝合され、前記鉛直な面ｂ，ｂ′間に、上、下スリット２Ｕ，２Ｌが形成され、さらに低い面ａと高い面ｃ′とは相互に衝合されて、それらの間に前記アッセンブリタイ９の端部が挟持される。そして、内、外側型枠Ｍｏ，Ｍｉの相対向する断熱パネル１  ，１同志は、それらの内面１Ｉ，１Ｉが対面して、それらの連結金具３，３の取付孔７，７にアッセンブリタイ９の両端を差し込み係合することにより一体に連結される。
【００２３】
内、外側の型枠Ｍｉ，Ｍｏ間のコンクリート打設空間Ｓに、図５に示すように、コンクリートを打設して、建物のコンクリート躯体が成形される。
【００２４】
コンクリート躯体の成形完了後は、内、外側の型枠Ｍｉ，Ｍｏは、そのまま断熱建材として使用できる外、コンクリート躯体から解体して通常の型枠として使用することができる。
【００２５】
しかして、前述のように、複数の断熱パネルの接続により、コンクリート型枠Ｍを成形するにあたり、連結金具３…は、断熱パネル１の長手方向の任意に位置に固定できることから、開口部などのコンクリート型枠の端部に該当する個所でも、金属製の連結金具３を切断しないで済み、コンクリート型枠Ｍの組み付け作業能率を高めることができる。また、連結金具３…は、断熱パネル１の外面１ｏより内方にあって、該断熱パネル１の外面１ｏは、その全面にわたり平坦面に形成されることから、該外面１ｏへの外壁などの接合やモルタル仕上げなどの後処理を容易に行なうことができる。
【００２６】
つぎに、図７を参照して本発明の第２実施例について説明する。
【００２７】
図７は、型枠兼断熱建材の断面図であり、前記第１実施例と同じ要素には同じ符号が付される。
【００２８】
この第２実施例は、板状の断熱パネル１の平坦な外面１Ｏに、合成樹脂板、紙などよりなる外板１１が接合される。この場合、連結金具３は、断熱パネル１の外面１Ｏに突出していないことで、その全面への接合が容易であり、また、外板１１は、型枠兼断熱建材の強度を高めることができる。
【００２９】
以上、本発明の実施例について説明したが、本発明はその実施例に限定されることなく、本発明の範囲内で種々の実施例が可能である。
【００３０】
【発明の効果】
以上のように、請求項１記載の発明によれば、複数の連結金具を、断熱パネルの上端面の任意の位置に固定することができるので、型枠を組み付けるに当たって金属製の連結金具を切断する必要がなくなり、型枠の組立作業能率を大幅に向上して、型枠の構築コストの低減に寄与することができ、また、断熱パネルの外面は、その全面が平坦であって、該外面の仕上げなどの後処理が容易である。
【００３１】
また、請求項２記載の発明によれば、断熱パネルの外面への外板の接合作業が容易であり、断熱パネルの強度が高められる。
【００３２】
さらに、請求項３記載の発明によれば、連結金具は、断熱パネルの任意の位置に固定可能であることから、型枠の組み付けるに当たって、この連結金具を切断しないで済み、型枠の組付作業能率を大幅に向上させるこができ、また、連結金具は、断熱パネルへの固定位置の如何にかかわらず、その傾斜抜止片が断熱パネルに食い込み係合してその断熱パネルにしっかりと固定することができる。
【図面の簡単な説明】
【図１】型枠兼断熱建材の一部破断斜視図（第１実施例）
【図２】図１の２矢視の型枠兼断熱建材の平面図
【図３】図２の３−３線に沿う拡大断面図
【図４】型枠兼断熱建材および連結金具の斜視図
【図５】型枠兼断熱建材により組み立てられたコンクリート型枠の断面図
【図６】図５の６矢視の仮想円囲い部分の拡大図
【図７】型枠兼断熱建材の断面図（第２実施例）
【符号の説明】
１・・・・・・・・・・・・・・断熱パネル
１Ｏ・・・・・・・・・・・・・外面
１Ｕ・・・・・・・・・・・・・上端面
１Ｌ・・・・・・・・・・・・・下端面
２Ｕ・・・・・・・・・・・・・上スリット
２Ｌ・・・・・・・・・・・・・下スリット
３・・・・・・・・・・・・・・連結金具
３Ｖｕ・・・・・・・・・・・・上鉛直部
３Ｖｌ・・・・・・・・・・・・下鉛直部
３Ｈ・・・・・・・・・・・・・水平部
４・・・・・・・・・・・・・・傾斜抜止片
５・・・・・・・・・・・・・・傾斜抜止片
７・・・・・・・・・・・・・・取付孔
９・・・・・・・・・・・・・・アッセンブリタイ
１１・・・・・・・・・・・・・外板
【図１】
2004324369.tif 000003
【図２】
2004324369.tif 000004
【図３】
2004324369.tif 000005
【図４】
2004324369.tif 000006
【図５】
2004324369.tif 000007
【図６】
2004324369.tif 000008
【図７】
2004324369.tif 000009